(57)【要約】【課題】本発明は振動板の振動の制限を抑制できるスピーカを提供することを目的とする。【解決手段】本発明は、この課題を解決するために、磁気回路形成工程５０１では、第１面３１と第３面２５Ｃの間に磁気ギャップ２６を形成し、かつ第２面３２の外方に開放部２７を形成している。磁性流体塗布工程５０２では、第１面３１と第２面３２の周囲に磁性流体３０を供給している。ボイスコイル挿入工程５０３では、第１面３１と第３面２５Ｃの間に配置された領域で、ボイスコイル２４が磁性流体３０と接触し、かつ開放部２７に配置された領域で、ボイスコイル２４が磁性流体３０と接しないようにして、ボイスコイル２４を磁気ギャップ２６へ挿入している。これにより、第２面とボイスコイルとの間に磁性流体の非充填部が形成される。【選択図】図１１
2014239321.tif 000002
【特許請求の範囲】
【請求項１】
第３面と、内磁気部に設けられた第１面を対向させて配置し、前記第１面と前記第３面の間に磁気ギャップを形成し、かつ前記内磁気部に設けられた第２面の外方に開放部を形成する磁気回路形成工程と、
前記第１面と前記第２面の周囲に磁性流体を供給する磁性流体塗布工程と、
前記磁気ギャップへボイスコイルを挿入するボイスコイル挿入工程を備え、
前記ボイスコイル挿入工程では、前記第１面と前記第３面の間に配置された領域では、前記ボイスコイルが前記磁性流体と接触し、
かつ前記ボイスコイルにおいて、前記開放部に配置された領域では、前記ボイスコイルが前記磁性流体と接しないようにして、前記ボイスコイルを挿入するスピーカ用磁気回路の製造方法。
【請求項２】
第３面と、内磁気部に設けられた第１面を対向させて配置し、前記第１面と前記第３面の間に磁気ギャップを形成し、かつ前記内磁気部に設けられた第２面の外方に開放部を形成する磁気回路形成工程と、
前記第１面と前記第２面の周囲に磁性流体を供給する磁性流体塗布工程と、
前記磁気ギャップへ前記ボイスコイルを挿入するボイスコイル挿入工程を備え、
前記ボイスコイル挿入工程では、前記第１面と前記第３面の間に配置された領域では、前記ボイスコイルが前記磁性流体と接触し、
かつ前記ボイスコイルの前記開放部に配置された領域には、前記磁性流体の非充填部を形成するようにして、前記ボイスコイルを挿入するスピーカ用磁気回路の製造方法。
【請求項３】
磁性流体塗布工程では、前記第１面上の前記磁性流体の厚みが、前記第１の隙間の寸法よりも大きく、かつ前記第２の隙間の寸法より小さくなる量だけ前記磁性流体を塗布する請求項１または２のいずれかに記載のスピーカ用磁気回路の製造方法。
【請求項４】
磁性流体塗布工程では、前記第２面上の前記磁性流体の厚みが、前記第２の隙間の寸法より小さくなる量だけ前記磁性流体を塗布する請求項３に記載のスピーカ用磁気回路の製造方法。
【請求項５】
磁性流体塗布工程では、前記第２面上の前記磁性流体の厚みが、前記磁気ギャップでの磁束により、前記第２の隙間の寸法より小さくなるように前記磁性流体を塗布する請求項３に記載のスピーカ用磁気回路の製造方法。
【発明の詳細な説明】
【技術分野】
【０００１】
本発明は、磁気回路に磁性流体を用いたスピーカの製造方法に関する。
【背景技術】
【０００２】
以下、従来のスピーカについて説明する。従来のスピーカは、フレーム、内磁型の磁気回路、振動板および、ボイスコイルと磁性流体を含んでいる。そして磁気回路は、磁石、プレート、ヨーク、磁気ギャップを含んでいる。なお、プレートとヨークは、磁性体材料によって形成されている。
【０００３】
磁石の形状は、細長い矩形状である。ヨークには、細長い矩形状の底部と、側面部を含んでいる。側面部は、底部の長辺側の端部から上方へと立設して形成されている。底部の上面には、磁石が搭載されている。さらに、磁石の上面には、プレートが搭載されている。磁気ギャップは、プレートの側面とヨークの側面部との間に形成されている。そして、
磁気回路は、プレートが上側を向く方向で、フレーム内に収納されている。
【０００４】
振動板の外周端は、フレームの上面に連結されている。ボイスコイルの一端は、振動板に固定されている。一方、ボイスコイルの他端は、磁気ギャップに挿入されている。そして、プレートの側面とボイスコイルの内面との間の隙間には、磁性流体が充填されている。
【０００５】
なお、この出願の発明に関連する先行技術文献情報としては、例えば、特許文献１が知られている。
【先行技術文献】
【特許文献】
【０００６】
【特許文献１】特開２００９−３３２８０号公報
【発明の概要】
【発明が解決しようとする課題】
【０００７】
しかしながら従来のスピーカでは、プレートの側面とボイスコイルの内面との間の隙間に磁性流体が充填されている。したがって、振動板、ボイスコイルとプレート、および磁性流体で囲まれた空間は密閉された構成となっている。したがって、振動板が振動した場合に、空間の空気は空間外への流出が抑制されるので、振動板の振動が制限されるという課題を有している。
【０００８】
そこで本発明は、この問題を解決したもので、磁性流体による振動板の振動の制限を抑制できるスピーカを提供することを目的としている。
【課題を解決するための手段】
【０００９】
本発明のスピーカは、フレーム、振動板、ボイスコイル、磁気回路、磁気ギャップ、開放部、第１の隙間、第２の隙間と磁性流体を含んでいる。振動板は、フレームに連結されている。ボイスコイルは、振動板に立設されている。磁気回路は、フレーム内に収納されており、内磁気部と第３面を含んでいる。さらに、内磁気部は、第１面と、第２面を含んで構成されている。第１面および第２面は、ボイスコイルの内側に配置され、かつボイスコイルと対向して形成されている。さらに、第１面は、第３面と対向して配置されている。
【００１０】
そして、前記の目的を達成するために、前記スピーカの製造方法は、磁気回路形成工程、磁性流体塗布工程とボイスコイル挿入工程を含んでいる。磁気回路形成工程では、第３面と、内磁気部に設けられた第１面を対向させて配置し、前記第１面と前記第３面の間に磁気ギャップを形成し、かつ前記内磁気部に設けられた第２面の外方に開放部を形成している。磁気回路形成工程では、第１面と第２面の周囲に磁性流体を供給している。ボイスコイル挿入工程では、磁気ギャップへボイスコイルを挿入している。そしてさらに、ボイスコイル挿入工程では、第１面と第３面の間に配置された領域で、ボイスコイルが磁性流体と接触し、かつボイスコイルにおいて、開放部に配置された領域で、ボイスコイルが前記磁性流体と接しないようにして、ボイスコイルを挿入している。これにより所期の目的を達成できる。
【発明の効果】
【００１１】
以上のように本発明によれば、ボイスコイル挿入工程では、第１面と第３面の間に配置された領域で、ボイスコイルが磁性流体と接触する。一方、第２面の外方に設けられた開放部では、ボイスコイルと磁性流体とが接しないようボイスコイルを挿入している。その結果、第２面とボイスコイルとの間に磁性流体の非充填部が形成されるので、振動板、ボイスコイルとプレート、および磁性流体で囲まれた空間の空気は密閉されない。したがって、振動板が振動した場合に、空間の空気は空間外へ流出できるので、振動板の振動の制限を抑制できる。
【図面の簡単な説明】
【００１２】
【図１】本発明の実施の形態におけるスピーカの上面図
【図２】本発明の実施の形態におけるスピーカの断面図
【図３】本発明の実施の形態におけるスピーカの断面図
【図４】本発明の実施の形態における磁気回路の概念図
【図５】本発明の実施の形態における他の例のスピーカの概念図
【図６】本発明の実施の形態における他の例のスピーカの磁気回路の断面図
【図７】本発明の実施の形態におけるさらに他の例のスピーカの磁気回路の概念図
【図８】本発明の実施の形態におけるさらに他の例のスピーカの磁気回路の要部断面図
【図９】本発明の実施の形態における他の例のプレートを用いたスピーカの磁気回路の概念図
【図１０】本発明の実施の形態における他の例のプレートを用いたスピーカを側面から見た場合の磁気回路の概念図
【図１１】本発明の実施の形態におけるスピーカの製造フローチャート
【発明を実施するための形態】
【００１３】
以下本実施の形態におけるスピーカについて図面を用いて説明する。図１は、本発明の実施の形態におけるスピーカの上面図である。図２は、本発明の実施の形態におけるスピーカを前面方向からみた場合の断面図である。図３は、本発明の実施の形態におけるスピーカを側面方向から見た場合の断面図である。図４は、本発明の実施の形態における磁気回路を上から見た場合の概念図である。なお、図２は、スピーカを図１に示す断面線２−２で切断した場合の断面図を示している。図３は、スピーカを図２に示す断面線３−３で切断した場合の断面図を示している。
【００１４】
スピーカ２１は、フレーム２２、振動板２３、ボイスコイル２４、磁気回路２５、磁気ギャップ２６、開放部２７、第１の隙間、第２の隙間と磁性流体３０を含んでいる。振動板２３は、フレーム２２の上面に連結されている。ボイスコイル２４の一端は、振動板２３に立設されている。なお、ボイスコイル２４と振動板２３は、たとえば接着剤などによって接続できる。
【００１５】
磁気回路２５は、フレーム２２内に収納されている。磁気回路２５には、内磁気部２５Ａとヨーク２５Ｂを含んで構成することが好ましい。ヨーク２５Ｂは、底部５１と第１側面５２を含んで構成できる。そして、底部５１上に内磁石２５Ｄが搭載されている。第１側面５２は、底部５１の対向する２箇所の端部に立設されている。この場合、第３面２５Ｃは、第１側面５２の内面に形成されている。なお、第１側面５２は、底部５１の長手方向の端部に設けることが好ましい。この構成により、磁気ギャップ２６の磁束密度を大きくできる。また、第１側面５２は、たとえば、底部５１の対向する２箇所の端部から折り曲げて形成することが好ましい。この構成により、容易にヨーク２５Ｂを形成できる。
【００１６】
内磁気部２５Ａは、内磁石２５Ｄを含み、ボイスコイル２４の内側に配置されている。なお、内磁気部２５Ａは、上プレート２５Ｅを含むことが好ましい。この場合、上プレート２５Ｅは、内磁石２５Ｄの上側に装着されている。そして、第１面３１と第２面３２は、上プレート２５Ｅの側面に形成される。この構成により、第１面３１は、第３面２５Ｃと対向して配置され、第１面３１と第３面２５Ｃとの間に磁気ギャップ２６が形成される。そして、ボイスコイル２４の他端は、磁気ギャップ２６へ挿入された状態となっている。
【００１７】
なお、内磁気部２５Ａは、上プレート２５Ｅを含まない構成としてもかまわない。この場合、磁気ギャップ２６は、内磁石２５Ｄの側面が、第１側面５２と対向することによって形成されている。したがって、第１面３１と第２面３２は、内磁石２５Ｄの側面に形成される。
【００１８】
また、内磁気部２５Ａを振動板２３側から見た場合の、内磁気部２５Ａの形状はトラック状であることが好ましい。なお、内磁気部２５Ａを振動板２３側から見た場合の、内磁気部２５Ａの形状はトラック状に限られない。たとえば、内磁気部２５Ａを振動板２３側から見た場合の、内磁気部２５Ａの形状は円形、正方形、長方形、楕円などでもかまわない。
【００１９】
磁気回路２５では、第１面３１と第２面３２がボイスコイル２４の内面と対向している。そして、磁性流体３０は、第１面３１と第２面３２の周囲に設けられている。なお、第１面とボイスコイルとの間には、第１の隙間が形成されており、第１の隙間は、磁性流体３０によって充填されている。以上の構成により、磁気回路２５には、閉磁部が形成されている。閉磁部には、上プレート２５Ｅ、内磁石２５Ｄ、ヨーク２５Ｂ、磁気ギャップ２６によって、磁気的に閉回路が形成されている。その結果、磁気ギャップ２６には、第１の磁束密度が発生する。
【００２０】
一方、第２面３２の外方には、開放部２７を設けている。開放部２７には、第２面３２と対向すべき第１側面５２が形成されていない。すなわち開放部２７では、ヨーク２５Ｂに第１側面５２が形成されていない。その結果、開放部２７では、磁気的にも開放されている。したがって、第２面３２で生じる第２の磁束密度は、第１の磁束密度よりも小さくなっている。
【００２１】
なおこの場合、前記第３面２５Ｃと対向する第１面３１の面積は、第２面３２の面積に比べて、大きくしておくことが好ましい。この構成により、第１の磁束密度を大きくできる。たとえば、内磁気部２５Ａの形状が、長方形である場合、第１面３１は、内磁気部２５Ａの長辺側に形成し、第２面３２は、内磁気部２５Ａの短辺側に形成している。あるいは、内磁気部２５Ａの形状が、略トラック状である場合、第１面３１は、内磁気部２５Ａの長軸方向と平行な側面に形成される。一方、第２面３２は、円弧状であり、内磁気部２５Ａの長軸方向の端部側面に設けられている。
【００２２】
さらに、第２面３２とボイスコイル２４との間には、第２の隙間が設けられている。なお、内磁気部２５Ａの形状が、略トラック状である場合、ボイスコイル２４の形状もまた略トラック状としている。すなわち内磁気部２５Ａの形状と、ボイスコイル２４の形状は同一の形状としている。ただし、第２の隙間は、第１の隙間よりも大きくしている。以上のように、第２の隙間は、第１の隙間よりも大きくしているので、第２面３２とボイスコイル２４との間に磁性流体３０の非充填部３３が形成される。その結果、振動板２３、ボイスコイル２４と上プレート２５Ｅ、および磁性流体３０で囲まれた空間３４の空気は密閉されない。すなわち、非充填部３３が、空間３４と、空間３４の外部との間の通気孔として作用する。したがって、振動板２３が振動した場合に、空間３４の空気は、空間３４外へ流出できるので、振動板２３の振動が制限されることを抑制できる。
【００２３】
さらに、第２面３２の外方は、開放部２７であるので、第２面３２が発する第２の磁束密度は小さい。すなわち、ボイスコイル２４全体で受ける磁力は、第１面３１が発する磁束密度の大きさが支配的であり、第２面３２が発する磁力は、ボイスコイル２４全体で受ける磁力への寄与度が小さい。その結果、第２面３２とボイスコイル２４との距離を大きくし、第２面３２とボイスコイル２４との間に非充填部３３を形成しても、ボイスコイル２４全体で受ける磁力の減少の度合いは小さくできる。したがって、スピーカ２１を小型にできる。あるいは、スピーカ２１の幅を狭くできる。
【００２４】
たとえば内磁気部２５Ａの形状が、長方形、あるいはトラック型である場合、内磁気部２５Ａの短い方向の寸法は、約２．５ｍｍとできる。そしてこの場合、スピーカ２１の外形の短い方向の寸法は、約７ｍｍとでき、幅の狭いスピーカ２１を実現できる。
【００２５】
なお、内磁気部２５Ａの形状が、略トラック状である場合、上プレート２５Ｅの円弧部の形状は、楕円形とできる。ただし、上プレート２５Ｅの円弧部とボイスコイル２４の円弧部は同心状に形成することが好ましい。この場合、上プレート２５Ｅの円弧部の長軸が、上プレート２５Ｅの短軸方向となる方向としている。なお、上プレート２５Ｅの円弧部の形状は、これに限られない。たとえば、上プレート２５Ｅの円弧部の直径は、上プレート２５Ｅの短軸方向の寸法より大きくしておく構成としてもかまわない。
【００２６】
図５は、実施の形態における他の例のスピーカの概念図である。図６は、実施の形態における他の例のスピーカの磁気回路の断面図である。なお、図６は、図５に示す断面線６−６で切断した場合の磁気回路の断面を示している。磁気回路１２５は、内磁気部２５Ａ、ヨーク１２５Ｂ、磁気ギャップ２６、開放部１２７を含んでいる。内磁気部２５Ａは、内磁石２５Ｄと、上プレート１２５Ｅを含んで構成することが好ましい。
【００２７】
さらに、ヨーク１２５Ｂは、底部５１、第１側面５２、第２側面１５２を含んでいる。この場合、第２側面１５２は、底部５１の端部から立設されて形成され、第１側面５２と第２側面１５２は、互いに隣り合うように配置されて構成されている。この構成により、上プレート１２５Ｅの側面と第２側面１５２の内側の面とが対向する。その結果、上プレート１２５Ｅには、第２側面１５２と対向する位置に、第１面３１が形成される。さらに、第２側面１５２の内面には、上プレート１２５Ｅの側面と対向する位置に、第３面２５Ｃが形成される。したがって、上プレート１２５Ｅと第２側面１５２の間にも、磁気ギャップ２６が形成されるので、さらにボイスコイル２４に供給される磁力を大きくできる。
【００２８】
そして、開放部１２７は、第１側面５２と第２側面１５２の間の隙間に形成されている。すなわち、第２面３２は、第１側面５２と第２側面１５２と対向しないように構成されている。このような構成により、第２面３２の外方には、開放部２７が形成される。そして、第２の隙間は、第１の隙間よりも大きくしている。その結果、第２面３２とボイスコイル２４との間には、非充填部３３が形成される。
【００２９】
たとえば、底部５１が矩形状である場合、上プレート１２５Ｅも矩形状である。そしてこの場合、第２面３２は、上プレート１２５Ｅの四隅に設けることが好ましい。また、第２側面１５２は、底部５１の端部から折り曲げて、構成することが好ましい。この構成により、ヨーク１２５Ｂを生産性が良好とできる。たとえば、第１側面５２を底部５１の長手側の２辺に設けた場合、第２側面１５２は、底部５１の短手側の２辺に設ける。
【００３０】
なお、非充填部３３の形状も、ほぼ矩形状となる。たとえば、非充填部３３の形状が長方形である場合、非充填部３３の短辺側の長さは、第１の隙間よりも大きい。また、たとえば、非充填部３３の形状が正方形である場合、非充填部３３の辺の長さは、第１の隙間よりも大きい。
【００３１】
以上のような構成により、上プレート１２５Ｅの短辺側の側面とボイスコイル２４との間にも磁性流体３０が充填された構成となる。したがって、さらに磁気ギャップ２６の磁束密度を大きくできる。
【００３２】
図７は、さらに他の例のスピーカの磁気回路の概念図である。図８は、さらに他の例のスピーカの磁気回路の要部断面図である。磁気回路２２５は、内磁気部２５Ａ、下プレート２２５Ｂ、磁気ギャップ２６、開放部２２７と、外磁気部２２５Ｆを含んでいる。内磁気部２５Ａは、内磁石２５Ｄと、上プレート２５Ｅを含んで構成することが好ましい。この場合、上プレート２５Ｅは、内磁石２５Ｄの上面に搭載されている。外磁気部２２５Ｆは、一対の外磁石２２５Ｇと、上プレート２２５Ｈを含んで構成することが好ましい。この場合、上プレート２２５Ｈは、外磁石２２５Ｇの上面に搭載されている。
【００３３】
内磁気部２５Ａと、外磁気部２２５Ｆは、下プレート２２５Ｂ上に搭載されている。なお、内磁気部２５Ａは、一対の外磁気部２２５Ｆ間に挟まれるように配置されている。この構成により、磁気ギャップ２６は、内磁気部２５Ａと外磁気部２２５Ｆの間に形成されている。たとえば、磁気回路２２５が、上プレート２５Ｅと上プレート２２５Ｈを含む構成である場合、磁気ギャップ２６は、上プレート２５Ｅと上プレート２２５Ｈの間に形成されている。なお、内磁石２５Ｄと外磁石２２５Ｇの磁極は、互いに反対方向となるように配置されている。以上の構成により、さらに磁気ギャップ２６の磁束密度を大きくできる。
【００３４】
内磁気部２５Ａの形状は、矩形状であることが好ましい。たとえば、内磁気部２５Ａの形状が、矩形状である場合、内磁気部２５Ａの長辺と外磁気部２２５Ｆの長辺が対向するように配置することが好ましい。この構成により、第１面３１と第３面２５Ｃとが、対向する面積を大きくできる。したがって、磁気ギャップ２６の磁束密度を大きくできる。
【００３５】
そしてこの場合、開放部２２７は、内磁気部２５Ａの短辺の外側に形成されている。すなわち、非充填部３３は、内磁気部２５Ａの短辺側の側面と、ボイスコイル２４の間に形成されている。なお、内磁気部２５Ａの形状は、矩形に限られない。たとえば、トラック形状であってもかまわない。
【００３６】
図９は、他の例のプレートを用いたスピーカの磁気回路の概念図である。図１０は、他の例のプレートを用いたスピーカを側面から見た場合の磁気回路の概念図である。磁気回路３２５は、内磁気部２５Ａ、下プレート２２５Ｂ、磁気ギャップ２６、開放部３２７と、外磁気部３２５Ｆを含んでいる。外磁気部３２５Ｆは、一対の外磁石２２５Ｇと、上プレート３２５Ｈを含んで構成されている。そして上プレート３２５Ｈは、外磁石２２５Ｇの上面に搭載されている。そして、内磁気部２５Ａと、外磁気部３２５Ｆは、下プレート２２５Ｂ上に搭載されている。さらに内磁気部２５Ａは、一対の外磁気部３２５Ｆ間に挟まれるように配置されている。
【００３７】
上プレート３２５Ｈは、搭載部３５１Ａと連結部３５１Ｂを含んで構成されている。上プレート３２５Ｈは、一対の外磁石２２５Ｇが下プレート２２５Ｂへ搭載された状態で、一対の搭載部３５１Ａが一対の外磁石２２５Ｇの上面に搭載されるように形成されている。そして、連結部３５１Ｂは、これらの一対の搭載部３５１Ａの間を連結している。たとえば、内磁気部２５Ａが矩形状である場合、連結部３５１Ｂは、内磁気部２５Ａの短辺側の側面と対向するように配置することが好ましい。この構成により、内磁気部２５Ａの短辺側の側面と、連結部３５１Ｂの間にも、磁気ギャップ２６を形成できる。したがって、さらに磁気ギャップ２６の磁束密度を大きくできる。
【００３８】
なお、連結部３５１Ｂは、搭載部３５１Ａの端部から下方へ折り曲げて形成することが好ましい。この構成により、内磁気部２５Ａの短辺側の側面と、連結部３５１Ｂとが対向する面積を大きくできる。
【００３９】
次に、スピーカ２１の製造方法について、説明する。図１１は、スピーカの製造フローチャートである。スピーカ２１の製造方法は、磁気回路形成工程５０１、磁性流体塗布工程５０２、ボイスコイル挿入工程５０３を含んでいる。
【００４０】
磁気回路形成工程５０１では、磁気回路２５を形成する。すなわち、磁気回路形成工程５０１では、第１面３１と第３面２５Ｃを対向させることにより、磁気ギャップ２６を形成している。さらに、磁気回路形成工程５０１では、第２面３２の外方に開放部２７を形成している。そのために、磁気回路形成工程５０１で、磁気回路２５を形成する場合、内磁気部２５Ａをヨーク２５Ｂの上面の中央部に固定する。内磁気部２５Ａが、内磁石２５Ｄと上プレート２５Ｅを含む場合、磁気回路形成工程５０１で、内磁石２５Ｄと上プレート２５Ｅを固定してもかまわない。そしてこの場合、磁気回路形成工程５０１では、上プレート２５Ｅ側が上となる向きで、内磁気部２５Ａがヨーク２５Ｂ上へ固定される。
【００４１】
なお、内磁気部２５Ａとヨーク２５Ｂの固定や、内磁石２５Ｄと上プレート２５Ｅの固定は、接着剤などを用いて固定できる。しかし、内磁気部２５Ａとヨーク２５Ｂの固定や、内磁石２５Ｄと上プレート２５Ｅの固定は、これに限定されない。たとえば、内磁石２５Ｄがボンド磁石である場合、内磁気部２５Ａとヨーク２５Ｂの固定や、内磁石２５Ｄと上プレート２５Ｅの固定は、溶着によって固定してもかまわない。
【００４２】
磁性流体塗布工程５０２では、第１面３１と第２面３２の周囲に磁性流体３０を塗布している。なお、磁性流体塗布工程５０２では、第１面３１上での磁性流体３０の厚みが、第１の隙間の寸法よりも大きく、かつ第２の隙間の寸法より小さくなる量の磁性流体３０を塗布することが好ましい。この構成により、第２面上の磁性流体３０の厚みは、第２の隙間の寸法より小さくなるので、非充填部３３を容易に形成できる。なお、第２面上の磁性流体３０は磁気ギャップ２６での磁束により第１面側へ引かれる。したがって、第２面上の磁性流体３０の厚みは、第２の隙間の寸法より小さくできる。
【００４３】
そして、ボイスコイル挿入工程５０３では、磁気ギャップ２６へボイスコイル２４を挿入している。そして、ボイスコイル挿入工程５０３では、ボイスコイル２４のうちで、第１面３１と第３面２５Ｃの間に配置された領域が、磁性流体３０と接するようにして挿入する。一方、ボイスコイル２４のうちで、開放部２７に配置された領域は、磁性流体３０と接しないようにして挿入する。すなわち、磁性流体塗布工程５０２では、開放部２７に非充填部３３を形成するようにして、ボイスコイル２４を磁気ギャップ２６へ挿入している。
【００４４】
ボイスコイル挿入工程５０３では、振動板２３とボイスコイル２４との固定を行ってもかまわない。さらに、ボイスコイル挿入工程５０３では、振動板２３をフレーム２２へ連結してもかまわない。
【００４５】
磁気回路形成工程５０１では、磁気回路１２５を形成してもかまわない。この場合、内磁気部２５Ａをヨーク１２５Ｂの上面の中央部に固定する。内磁気部２５Ａが、内磁石２５Ｄと上プレート２５Ｅを含む場合、磁気回路形成工程５０１では、上プレート１２５Ｅ側が上となる向きで、内磁気部２５Ａがヨーク１２５Ｂ上へ固定される。
【００４６】
なお、内磁気部２５Ａとヨーク１２５Ｂの固定は、接着剤などを用いて固定できる。しかし、内磁気部２５Ａとヨーク１２５Ｂの固定は、これに限定されない。たとえば、内磁石２５Ｄがボンド磁石である場合、内磁気部２５Ａとヨーク１２５Ｂの固定は、溶着によって固定してもかまわない。
【００４７】
そしてこの場合、ボイスコイル挿入工程５０３では、ボイスコイル２４のうちで、開放部１２７に配置された領域は、磁性流体３０と接しないようにして挿入する。すなわち、磁性流体塗布工程５０２では、開放部１２７に非充填部３３を形成するようにして、ボイスコイル２４を磁気ギャップ２６へ挿入している。
【００４８】
磁気回路形成工程５０１では、磁気回路２２５を形成してもかまわない。この場合、下プレート２２５Ｂの上面に、内磁気部２５Ａを固定する。さらに、内磁気部２５Ａを挟むようにして、下プレートの上面に一対の外磁気部２２５Ｆを固定する。なお、第１面３１と第３面２５Ｃとが、平行に対向するように、内磁気部２５Ａと外磁気部２２５Ｆとを配置することによって、磁気ギャップ２６を形成する。
【００４９】
外磁気部２２５Ｆが、外磁石２２５Ｇと上プレート２２５Ｈを含む場合、磁気回路形成工程５０１で、外磁石２２５Ｇと上プレート２２５Ｈを固定してもかまわない。そして、この場合、磁気回路形成工程５０１では、上プレート２２５Ｈ側が上となる向きで、外磁気部２２５Ｆが下プレート２２５Ｂ上へ固定される。
【００５０】
なお、外磁気部２２５Ｆと下プレート２２５Ｂの固定や、外磁石２２５Ｇと上プレート２２５Ｈの固定は、接着剤などを用いて固定できる。しかし、外磁気部２２５Ｆと下プレート２２５Ｂの固定や、外磁石２２５Ｇと上プレート２２５Ｈの固定は、これに限定されない。たとえば、外磁石２２５Ｇがボンド磁石である場合、外磁気部２２５Ｆと下プレート２２５Ｂの固定や、外磁石２２５Ｇと上プレート２２５Ｈの固定は、溶着によって固定してもかまわない。
【００５１】
また、ボイスコイル挿入工程５０３では、ボイスコイル２４のうちで、開放部２７に配置された領域は、磁性流体３０と接しないようにして挿入する。すなわち、磁性流体塗布工程５０２では、開放部２７に非充填部３３を形成するようにして、ボイスコイル２４を磁気ギャップ２６へ挿入している。
【００５２】
磁気回路形成工程５０１では、磁気回路３２５を形成してもかまわない。この場合、磁気回路形成工程５０１では、下プレート２２５Ｂの上面に、内磁気部２５Ａを固定する。さらに、内磁気部２５Ａを挟むようにして、下プレートの上面に一対の外磁気部３２５Ｆを固定する。なお、第１面３１と第３面２５Ｃとが、平行に対向するように、内磁気部２５Ａと外磁気部３２５Ｆとを配置することによって、磁気ギャップ２６を形成している。なお、磁気回路形成工程５０１で、外磁石２２５Ｇと上プレート３２５Ｈを固定してもかまわない。そして、この場合、磁気回路形成工程５０１では、上プレート３２５Ｈ側が上となる向きで、外磁気部３２５Ｆが下プレート２２５Ｂ上へ固定される。
【００５３】
なお、外磁石２２５Ｇと上プレート３２５Ｈの固定は、接着剤などを用いて固定できる。しかし、外磁石２２５Ｇと上プレート３２５Ｈの固定は、これに限定されない。たとえば、外磁石２２５Ｇがボンド磁石である場合、外磁石２２５Ｇと上プレート３２５Ｈの固定は、溶着によって固定してもかまわない。
【００５４】
また、ボイスコイル挿入工程５０３では、ボイスコイル２４のうちで、開放部３２７に配置された領域は、磁性流体３０と接しないようにして挿入する。すなわち、磁性流体塗布工程５０２では、開放部３２７に非充填部３３を形成するようにして、ボイスコイル２４を磁気ギャップ２６へ挿入している。
【００５５】
なお、磁気回路２５、磁気回路１２５、磁気回路２２５または、磁気回路３２５は、磁気回路形成工程５０１で、フレーム２２へ装着してもかまわない。しかし、これに限らず、磁気回路２５、磁気回路１２５、磁気回路２２５または、磁気回路３２５は、ボイスコイル挿入工程５０３で、フレーム２２へ装着してもかまわない。
【産業上の利用可能性】
【００５６】
本発明にかかるスピーカは、振動板の振動の制限を抑制できるという効果を有し、幅狭型のスピーカ等に用いると有用である。
【符号の説明】
【００５７】
２１  スピーカ
２２  フレーム
２３  振動板
２４  ボイスコイル
２５  磁気回路
２５Ａ  内磁気部
２５Ｂ  ヨーク
２５Ｃ  第３面
２５Ｄ  内磁石
２５Ｅ  上プレート
２６  磁気ギャップ
２７  開放部
３０  磁性流体
３１  第１面
３２  第２面
３３  非充填部
３４  空間
５１  底部
５２  第１側面
１２５  磁気回路
１２５Ｂ  ヨーク
１２５Ｅ  上プレート
１２７  開放部
１５２  第２側面
２２５  磁気回路
２２５Ｂ  下プレート
２２５Ｆ  外磁気部
２２５Ｇ  外磁石
２２５Ｈ  上プレート
２２７  開放部
３２５  磁気回路
３２７  開放部
３２５Ｆ  外磁気部
３２５Ｈ  上プレート
３５１Ａ  搭載部
３５１Ｂ  連結部
５０１  磁気回路形成工程
５０２  磁性流体塗布工程
５０３  ボイスコイル挿入工程
【図１】
2014239321.tif 000003
【図２】
2014239321.tif 000004
【図３】
2014239321.tif 000005
【図４】
2014239321.tif 000006
【図５】
2014239321.tif 000007
【図６】
2014239321.tif 000008
【図７】
2014239321.tif 000009
【図８】
2014239321.tif 000010
【図９】
2014239321.tif 000011
【図１０】
2014239321.tif 000012
【図１１】
2014239321.tif 000013